(57)【要約】  本発明の課題は、個人の嗜好や使用環境に応じた切替条件でダイバーシチ受信の起動／停止を制御することができるダイバーシチ受信装置及び受信方式切替え方法を提供することである。  入力部（１０９）は、常時２つの受信系を使用したダイバーシチ受信モード、常時単一の受信系を使用したシングル受信モード、ダイバーシチ受信モードとシングル受信モードを夫々の受信状態に応じて切替える自動制御受信モードのいずれかを選択可能であり、ユーザが使用するモードを指定し、制御部（１０７）は、自動制御受信モードで使用する切替えの判定条件を他の２モードのモード選択情報によって決定し、ダイバーシチ受信を選択した頻度が多い場合にはダイバーシチ受信に切替える頻度を多くする判定条件に変更し、シングル受信を選択した頻度が多い場合にはシングル受信に切替える頻度を多くする判定条件に変更する。
2007110925.tif 000002
【特許請求の範囲】
【請求項１】
複数の受信系を備え、複数の受信系を使用したダイバーシチ受信と単一の受信系を使用したシングル受信とを切替えるダイバーシチ受信装置において、
常時複数の前記受信系を使用したダイバーシチ受信モードと、常時単一の受信系を使用したシングル受信モードと、ダイバーシチ受信とシングル受信を夫々の受信状態に応じて切替える自動制御受信モードのいずれかを選択可能であり、ユーザが使用するモードを指定するための入力部と、
自動制御受信モードにおいて、他の２モードのモード選択情報に応じてダイバーシチ受信とシングル受信とを切替える判定条件を決定し、受信方式を切替える受信方式切替部と、
を備えるダイバーシチ受信装置。
【請求項２】
前記受信方式切替部は、前記モード選択情報として、各モードの選択率を使用する請求項１に記載のダイバーシチ受信装置。
【請求項３】
前記受信方式切替部は、前記モード選択情報として、各モード選択時の受信品質を使用する請求項１に記載のダイバーシチ受信装置。
【請求項４】
装置本体で使用する電池の残量を検出する電源電圧測定部を備え、
前記受信方式切替部は、前記モード選択情報として、各モード選択時の電池残量も使用する請求項３に記載のダイバーシチ受信装置。
【請求項５】
視聴中の番組のジャンルを検出する番組ジャンル検出部と、
ジャンルごとに判定条件を記憶するジャンル別閾値記憶部とを備え、
前記受信方式切替部は、視聴している番組のジャンルごとに判定条件を設定する請求項１乃至請求項４のいずれかに記載のダイバーシチ受信装置。
【請求項６】
複数の受信系を使用したダイバーシチ受信と単一の受信系を使用したシングル受信とを切替える受信方式切替え方法において、
常時複数の前記受信系を使用したダイバーシチ受信モード、常時単一の受信系を使用したシングル受信モード、ダイバーシチ受信とシングル受信を夫々の受信状態に応じて切替える自動制御受信モードのいずれかをユーザによる選択を可能とし、自動制御受信モードが選択された場合に、該自動制御受信モードにおいて、他の２モードのモード選択情報に応じてダイバーシチ受信とシングル受信とを切替える判定条件を決定し、受信方式を切替える受信方式切替え方法。
【発明の詳細な説明】
【技術分野】
【０００１】
本発明は、ダイバーシチ受信装置及び受信方式切替え方法に関する。
【背景技術】
【０００２】
従来、複数の受信ブランチを備えて受信品質の向上を図ったダイバーシチ受信装置が提案されている（例えば、特許文献１参照）。従来のダイバーシチ受信装置は、例えば図１５に示すように、２本のアンテナで捉えられた無線信号それぞれについて受信状態（ＣＮＲ（Carrier to Noise Ratio）、ＢＥＲ（Bit Error Rate）、ＰＥＲ（Packet Error Rate）又は電界強度）を測定し、その結果に基づいてダイバーシチ受信とシングル受信の切替えを行う。具体的には、図１６に示すように測定した受信状態を切替えの判定条件（閾値）と比較してダイバーシチ起動／停止を判断する。ダイバーシチ受信は２本のアンテナを使用することから受信感度が得られるメリットがある反面、消費電流が大きくなるデメリットがある。シングル受信は２本のアンテナのうち、受信状態の良い方を使用するので、消費電流が小さいというメリットがある反面、十分な受信感度が得られないというデメリットがある。【０００３】
【特許文献１】特開平６−２８４０６２号公報
【発明の開示】
【発明が解決しようとする課題】
【０００４】
しかしながら、従来のダイバーシチ受信装置は、ダイバーシチ受信とシングル受信の切替えにはユーザの嗜好や使用環境が反映されないという問題がある。例えば映画を高品質で視聴するためにダイバーシチ受信を希望しても受信状態が良ければシングル受信に切替えられてしまう。また、必ずしも高品質を必要としないニュースではシングル受信でも十分であるにも拘わらず、受信品質が悪ければダイバーシチ受信に切替えられてしまうことになる。ダイバーシチ受信は、全ての受信系を使用することから消費電力が大きくなり、音声のみの放送でダイバーシチ受信が多用されることは、消費電力の点からして好ましいものではない。【０００５】
本発明は、係る事情に鑑みてなされたものであり、個人の嗜好や使用環境に応じた切替えの判定条件でダイバーシチ受信の起動／停止を制御することができるダイバーシチ受信装置及び受信方式切替え方法を提供することを目的とする。
【課題を解決するための手段】
【０００６】
上記目的は下記構成及び方法により達成される。
本発明のダイバーシチ受信装置は、複数の受信系を備え、複数の受信系を使用したダイバーシチ受信と単一の受信系を使用したシングル受信とを切替えるダイバーシチ受信装置において、常時複数の前記受信系を使用したダイバーシチ受信モードと、常時単一の受信系を使用したシングル受信モードと、ダイバーシチ受信とシングル受信を夫々の受信状態に応じて切替える自動制御受信モードのいずれかを選択可能であり、ユーザが使用するモードを指定するための入力部と、自動制御受信モードにおいて、他の２モードのモード選択情報に応じてダイバーシチ受信とシングル受信とを切替える判定条件を決定し、受信方式を切替える受信方式切替部と、を備える。【０００７】
前記受信方式切替部は、前記モード選択情報として、各モードの選択率を使用する。【０００８】
前記受信方式切替部は、前記モード選択情報として、各モード選択時の受信品質を使用する。【０００９】
装置本体で使用する電池の残量を検出する電源電圧測定部を備え、前記受信方式切替部は、前記モード選択情報として、各モード選択時の電池残量も使用する。【００１０】
視聴中の番組のジャンルを検出する番組ジャンル検出部と、ジャンルごとに判定条件を記憶するジャンル別閾値記憶部とを備え、前記受信方式切替部は、視聴している番組のジャンルごとに判定条件を設定する。【００１１】
本発明の受信方式切替え方法は、複数の受信系を使用したダイバーシチ受信と単一の受信系を使用したシングル受信とを切替える受信方式切替え方法において、常時複数の前記受信系を使用したダイバーシチ受信モード、常時単一の受信系を使用したシングル受信モード、ダイバーシチ受信とシングル受信を夫々の受信状態に応じて切替える自動制御受信モードのいずれかをユーザによる選択を可能とし、自動制御受信モードが選択された場合に、該自動制御受信モードにおいて、他の２モードのモード選択情報に応じてダイバーシチ受信とシングル受信とを切替える判定条件を決定し、受信方式を切替える。
【発明の効果】
【００１２】
本発明のダイバーシチ受信装置は、個人の嗜好や使用環境に応じた切替えの判定条件でダイバーシチ受信の起動／停止を制御することができる。これにより、例えば高音質で映画を楽しみたいユーザに対してはダイバーシチ受信が多用され、ニュースを楽しみたいユーザに対してはシングル受信が多用される。また、シングル受信を多用することにより電力消費を低く抑えることが可能となり、バッテリで運用する場合にバッテリ持続時間を長くできる。
【図面の簡単な説明】
【００１３】
【図１】本発明の実施の形態１に係るダイバーシチ受信装置の概略構成を示すブロック図
【図２】本発明の実施の形態１に係るダイバーシチ受信装置の操作面を示す図
【図３】本発明の実施の形態１に係るダイバーシチ受信装置における判定条件を説明するための図
【図４】本発明の実施の形態１に係るダイバーシチ受信装置における状態遷移例を示す図
【図５】本発明の実施の形態１に係るダイバーシチ受信装置の動作を説明するためのフロー図
【図６】本発明の実施の形態１に係るダイバーシチ受信装置の応用例の動作を説明するためのフロー図
【図７】本発明の実施の形態１に係るダイバーシチ受信装置の応用例における状態遷移例を示す図
【図８】本発明の実施の形態２に係るダイバーシチ受信装置の概略構成を示すブロック図
【図９】本発明の実施の形態２に係るダイバーシチ受信装置における判定条件を説明するための図
【図１０】本発明の実施の形態２に係るダイバーシチ受信装置における判定条件を説明するための図
【図１１】本発明の実施の形態２に係るダイバーシチ受信装置の動作を説明するためのフロー図
【図１２】本発明の実施の形態３に係るダイバーシチ受信装置の概略構成を示すブロック図
【図１３】本発明の実施の形態３に係るダイバーシチ受信装置における判定条件を説明するための図
【図１４】本発明の実施の形態３に係るダイバーシチ受信装置の応用例の動作を説明するためのフロー図
【図１５】従来のダイバーシチ受信装置におけるダイバーシチ受信／シングル受信の切替え方法を説明するための図
【図１６】従来のダイバーシチ受信装置におけるダイバーシチ受信／シングル受信の切替え方法を説明するための図
【符号の説明】
【００１４】
１００、１０１  アンテナ
１０２、１０３  チューナ
１０４、１０５  復調部
１０６  選択／合成部
１０７  制御部
１０８  受信品質検出部
１０９  入力部
１１０  誤り訂正部
１１１  電源電圧測定部
１１２  番組ジャンル検出部
１１３  ジャンル別閾値記憶部
【発明を実施するための最良の形態】
【００１５】
以下、本発明を実施するための好適な実施の形態について、図面を参照して詳細に説明する。【００１６】
図１は、本発明の実施の形態１に係るダイバーシチ受信装置の概略構成を示すブロック図である。図１において、本実施の形態のダイバーシチ受信装置は、例えば地上デジタル放送を受信可能な携帯端末であり、無線信号（デジタル変調信号）を捉えるアンテナ１００及び１０１と、アンテナ１００及び１０１で捉えられた無線信号から所望のチャンネルの選局を行うチューナ１０２及び１０３と、チューナ１０２及び１０３で選局された信号の復調を行う復調部１０４及び１０５と、選択／合成部１０６と、制御部（受信方式切替部）１０７と、受信品質検出部１０８と、入力部１０９と、誤り訂正部１１０とを備えて構成される。本実施の形態では、アンテナ１００及び１０１と、チューナ１０２及び１０３と、復調部１０４及び１０５とからなる２系統の受信系を備えており、各受信系で復調された信号が選択／合成部１０６に入力される。【００１７】
選択／合成部１０６は、制御部１０７からの指示に応じて各受信系からの信号を合成又は選択する。受信品質検出部１０８は、各受信系で受信した信号と合成信号から受信品質を検出する。受信品質を決めるものとしては、信号の誤り率、信号対雑音比、受信レベル等がある。入力部１０９は、ユーザからモード指定の入力を受けるものであり、モード指定内容を制御部１０７に渡す。入力部１０９は、モード指定するための図示せぬ複数の操作ボタンを備えている。図２は、入力部１０９の操作面を示す図である。モード切替ボタン１０９１は、ダイバーシチ受信モード、シングル受信モード、自動制御受信モードの３つのモードを設定するものであり、１度押すごとにモードが順次遷移する。また、モード切替ボタン１０９１で指定したモードは、モード選択表示ランプ１０９２にて確認することができる。例えば、点灯はダイバーシチ受信モード、消灯はシングル受信モード、点滅は自動制御受信モードである。【００１８】
図１に戻り、制御部１０７は、入力部１０９から得られたモード指定に応じて選択／合成部１０６を切替える。すなわち、モード指定内容がシングル受信モードであれば、１つの受信系からの信号のみを選択して誤り訂正部１１０に渡し、モード指定内容がダイバーシチ受信モードであれば、各受信系からの信号を合成して誤り訂正部１１０に渡す。また、モード指定時にはモード選択情報（モードの使用頻度を示す情報）に応じ、自動制御受信モードで用いる切替えの判定条件（閾値）を調整する。また、制御部１０７は、自動制御受信モードの制御判定も行う。受信品質検出部１０８で得られた受信品質に応じてダイバーシチ受信をすべきかシングル受信をすべきかを判定し、その結果に応じて選択／合成部１０６を切替える。誤り訂正部１１０は、選択／合成部１０６から得られる信号に対し誤り訂正処理を行う。【００１９】
次に、図３を参照して自動制御受信モードで用いる判定条件（閾値）の調整について説明する。自動制御受信モードの判定条件は、ダイバーシチ受信モードとシングル受信モードのモード選択情報によって変化する。制御部１０７は、入力部１０９にユーザの入力があった際のモード選択情報を用いて自動制御受信モードの判定条件を決定する。モード選択情報は、モード選択頻度、モード選択時間、モード選択時の受信状態などである。判定条件の決定方法は、例えば、基準となる判定条件を設けて、モード選択頻度とモード選択時間が、ダイバーシチ受信モード＞シングル受信モードであった場合、自動制御受信モードにおいてダイバーシチ受信が選択されやすい判定条件にシフトする。なお、この場合、判定条件にはヒステリシスを持たせても良い。モード選択情報の参照は、過去一定時間内や過去一定数の情報を用いるようにしても良い。【００２０】
図４は、ユーザ操作による状態遷移例を示す図である。ユーザは視聴中にモードの選択が可能であり、手動操作にてダイバーシチ受信モード／シングル受信モード／自動制御受信モードを指定する。自動制御受信モードが指定されている間にのみユーザの嗜好に応じた制御が行われる。【００２１】
次に、本実施の形態に係るダイバーシチ受信装置の動作を説明する。図５は、本実施の形態に係るダイバーシチ受信装置の動作を説明するためのフロー図である。【００２２】
＜常時シングル受信モード処理＞
２系統あるアンテナ１００及び１０１、チューナ１０２及び１０３、復調部１０４及び１０５からなる受信系のうち、一方の受信系からの信号を選択／合成部１０６で選択して誤り訂正部１１０に渡す。【００２３】
＜常時ダイバーシチ受信モード処理＞
２系統あるアンテナ１００及び１０１とチューナ１０２及び１０３と復調部１０４及び１０５の２つの受信系統の双方からの受信信号を選択／合成部１０６に渡して、２信号を合成する。選択／合成部１０６で合成後の信号を誤り訂正部１１０に渡す。【００２４】
＜自動制御受信モード処理＞
シングル受信とダイバーシチ受信を受信品質に応じて切替える。シングル受信時は、使用している受信系の受信品質とダイバーシチ受信開始条件を比較し、条件を満たせばダイバーシチ受信に切替える。ダイバーシチ受信時は、合成後の受信品質とシングル受信開始条件を比較し、条件を満たせばシングル受信に切替える。【００２５】
さて、いずれかのモードで受信中に、まず入力部１０９よりモード設定があるかどうかチェックする（ステップＳ５０）。モード設定があった場合は、モード選択率を算出して更新する（ステップＳ５１）。モード選択率は、例えば以下の式（１）で算出する。【００２６】
シングル受信モード選択率＝シングル受信モード指定回数／全モード指定回数合計  …（１）【００２７】
そして、選択されたモードを判定し（ステップＳ５２）、シングル受信モード指定ならば、選択／合成部１０６を選択設定としてシングル受信モード処理を開始する（ステップＳ５３）。ダイバーシチ受信モード指定ならば、選択／合成部１０６を合成設定としてダイバーシチ受信モード処理を開始する（ステップＳ５４）。自動制御受信モード指定ならば、シングル受信モード選択率とダイバーシチ受信モード選択率を比較し（ステップＳ５５）、シングル受信モード選択率が高ければ、シングル受信が選択されやすい判定条件にシフトする（ステップＳ５６）。すなわち、切替えの閾値を低くする。これに対して、ダイバーシチ受信モード選択率が高ければ、ダイバーシチ受信が選択されやすい判定条件にシフトする（ステップＳ５７）。すなわち、切替えの閾値を高くする。そして、現在ダイバーシチ受信中である場合、シングル受信開始条件と合成後の受信品質を比較し（ステップＳ５８）、条件を満たしていればシングル受信に移行する。満たしていなければダイバーシチ受信を継続する。これに対して、現在シングル受信中である場合、ダイバーシチ受信開始条件と使用しているブランチの受信品質を比較し（ステップＳ５８）、条件を満たしていればダイバーシチ受信に移行する。満たしていなければシングル受信を継続する。【００２８】
このように本実施の形態のダイバーシチ受信装置によれば、ユーザによるシングル／ダイバーシチ受信モードの選択の仕方で自動制御受信モードの判定条件を決定し、シングル受信モードをよく使うユーザはシングル受信優先で制御し、ダイバーシチ受信モードをよく使うユーザはダイバーシチ受信優先で制御するようカスタマイズするので、モード選択をしなくても自動制御受信モードでユーザの嗜好に合わせた制御を行うことが可能となる。【００２９】
なお、上記実施の形態では、ダイバーシチ受信モード又はシングル受信モードを指定すると、再びユーザによってモード指定が行われない限り、指定したモードが継続して行われるが、ダイバーシチ受信モード又はシングル受信モードを指定した場合、特定時間の指定通りのモードで動作し、その後、自動的に自動制御受信モードに移行するようにしても良い。又は、テレビ機能を立ち上げ直した時やチャンネル変更時には自動制御受信モードへ戻るようにしても良い。【００３０】
図６は、カウンタを使用して自動的に自動制御受信モードに移行するようにした処理を示すフロー図である。また、図７は、ユーザ操作による状態遷移例を示す図である。図６において、いずれかのモードで受信中に、まずカウンタが一定値以上であるかどうかチェックする（ステップＳ６０）。カウンタが一定値以上であれば、自動制御受信モードに設定し（ステップＳ６１）、その後、次の処理に移行する。カウンタが一定値未満であれば何もせず次の処理に移行する。次の処理では、入力部１０９よりモード設定があるかどうかチェックする（ステップＳ６２）。モード設定があった場合は、モード選択率を算出して更新する（ステップＳ６３）。モード選択率は、例えば上述した式（１）で算出する。【００３１】
次いで、選択されたモードを判定し（ステップＳ６４）、シングル受信モード指定ならば、カウンタを更新し（ステップＳ６５）、その後、選択／合成部１０６を選択設定としてシングル受信モード処理を開始する（ステップＳ６６）。ダイバーシチ受信モード指定ならば、カウンタを更新し（ステップＳ６７）、その後、選択／合成部１０６を合成設定としてダイバーシチ受信モード処理を開始する（ステップＳ６８）。自動制御受信モード指定ならば、カウンタをリセットし（ステップＳ６９）、その後、シングル受信モード選択率とダイバーシチ受信モード選択率を比較し（ステップＳ７０）、シングル受信モード選択率が高ければ、シングル受信が選択されやすい判定条件にシフトする（ステップＳ７１）。すなわち、切替えの閾値を低くする。これに対して、ダイバーシチ受信モード選択率が高ければ、ダイバーシチ受信が選択されやすい判定条件にシフトする（ステップＳ７２）。すなわち、切替えの閾値を高くする。そして、現在ダイバーシチ受信中である場合、シングル受信開始条件と合成後の受信品質を比較し（ステップＳ７３）、条件を満たしていればシングル受信に移行する。満たしていなければダイバーシチ受信を継続する。これに対して、現在シングル受信中である場合、ダイバーシチ受信開始条件と使用しているブランチの受信品質を比較し（ステップＳ７３）、条件を満たしていればダイバーシチ受信に移行する。満たしていなければシングル受信を継続する。【００３２】
次に、本発明の実施の形態２について説明する。図８は、本発明の実施の形態２に係るダイバーシチ受信装置の概略構成を示すブロック図である。実施の形態１のダイバーシチ受信装置では、モード選択情報としてモード選択率を用いたが、実施の形態２のダイバーシチ受信装置では、モード選択時の受信品質と電池残量を用いた点が異なっており、実施の形態１と同様の構成に加えて、電池残量を測定する電源電圧測定部１１１を備えている。電源電圧測定部１１１は、電池残量を測定し、その結果を制御部１０７に渡す。制御部１０７は、入力部１０９から得られたモード指定に応じて選択／合成部１０６を切替える。すなわち、シングル受信モードであれば、１つの受信系からの信号のみを選択して誤り訂正部１１０に渡し、ダイバーシチ受信モードであれば、各受信系からの信号を合成して誤り訂正部１１０に渡す。また、モード指定時には、モード選択情報に応じ、自動制御受信モードで用いる判定条件を調整する。また、制御部１０７は、自動制御受信モードの制御判定も行う。また、制御部１０７は、受信品質検出部１０８で得られた受信品質に応じてダイバーシチ受信すべきかシングル受信すべきかを判定し、その結果に応じて選択／合成部１０６を切替える。【００３３】
次に、図９を参照して自動制御受信モードで用いる判定条件（閾値）の調整について説明する。自動制御受信モードの判定条件を決定する際に用いるモード選択情報として、モード選択時の受信状態と電池残量を用いる。判定条件の決定方法は、基準となる判定条件を設け、ダイバーシチ受信モード選択時の受信状態が自動制御のダイバーシチ受信起動条件より良い場合は、自動制御においてダイバーシチ受信が選択されやすい判定条件にシフトする。また、電池残量に応じてモード選択情報の重み付けを変える。例えば、ダイバーシチ受信モードは消費電流が多いことから、電池残量が多い状態でダイバーシチ受信モードが選択された場合は重み付けを小さくし、電池残量が少ないにも拘わらずダイバーシチ受信モードが選択された場合は重み付けを大きくする。図１０は、自動制御受信モードで用いる判定条件（閾値）の調整を表でまとめたものである。【００３４】
次に、本実施の形態に係るダイバーシチ受信装置の動作を説明する。図１１は、本実施の形態に係るダイバーシチ受信装置の動作を説明するためのフロー図である。同図において、いずれかのモードで受信中に、まず入力部１０９よりモード設定があるかどうかチェックする（ステップＳ１１０）。モード設定があった場合、選択されたモードを判定して（ステップＳ１１１）、モードごとの処理を行い、モード設定がない場合は今までのモードで受信を続ける。シングル受信モード指定ならば、選択／合成部１０６を選択設定として、選択された信号の受信品質を取得し、自動制御で用いる判定条件と比較する（ステップＳ１１２）。判定条件より悪い場合、判定条件を低くする。この際、判定条件の変化量を決めるために電池電圧測定部１１１により電池残量を確認する（ステップＳ１１３）。電池残量が多い場合、変化量は大きめにし（ステップＳ１１４）、電池残量が少ない場合、変化量は小さめにする（ステップＳ１１５）。ステップＳ１１２の判定において受信品質が判定条件より良い場合は判定条件の変化はなく、そのままシングル受信モード処理を開始する（ステップＳ１１６）。【００３５】
ステップＳ１１１の判定においてダイバーシチ受信モード指定ならば、選択／合成部１０６を合成設定として、合成された信号の受信品質を取得し、自動制御で用いる判定条件と比較する（ステップＳ１１７）。判定条件より良い場合、判定条件を高くする。この際、判定条件の変化量を決めるために電池電圧測定部１１１により電池残量を確認する（ステップＳ１１８）。電池残量が多い場合、変化量は小さめにし（ステップＳ１１９）、電池残量が少ない場合、変化量は大きめにする（ステップＳ１２０）。ステップＳ１１７の判定において受信品質が判定条件より悪い場合は判定条件の変化はなく、そのダイバーシチ受信モード処理を開始する（ステップＳ１２１）。【００３６】
一方、ステップＳ１１１の判定において自動制御受信モード指定ならば、現在ダイバーシチ受信中である場合は、シングル受信開始条件と合成後の受信品質を比較し（ステップＳ１２２）、条件を満たしていればシングル受信に移行する（ステップＳ１１６）。満たしていなければダイバーシチ受信を継続する（ステップＳ１２１）。これに対して、現在シングル受信中である場合は、ダイバーシチ受信開始条件と使用している受信系の受信品質を比較し（ステップＳ１２２）、条件を満たしていればダイバーシチ受信に移行する。満たしていなければシングル受信を継続する。【００３７】
このように本実施の形態のダイバーシチ受信装置によれば、シングル／ダイバーシチ受信モード選択時の受信品質で自動制御受信モードの判定条件を決定し、ユーザがシングル受信モードになって欲しいと考える受信品質ではシングル受信が行われるよう制御し、ダイバーシチ受信モードになって欲しいと考える受信品質ではダイバーシチ受信が行われるよう制御するようにカスタマイズするので、モード選択をしなくても自動制御受信モードでユーザの嗜好に合わせた制御を行うことが可能となる。【００３８】
また、電池残量を考慮することで、ユーザのシングル／ダイバーシチ受信に対する要求の強さを判別し（電池残量が少ないにも拘わらず消費電流の大きいダイバーシチ受信モードを選択する場合には要求が強い）、ユーザの嗜好に合わせた制御に収束するまでの時間を短縮することが可能となる。【００３９】
次に、本発明の実施の形態３について説明する。図１２は、本発明の実施の形態３に係るダイバーシチ受信装置の概略構成を示すブロック図である。実施の形態３のダイバーシチ受信装置は、実施の形態１のダイバーシチ受信装置と同一の構成に加えて、視聴中の番組のジャンルを検出する番組ジャンル検出部１１２と、番組のジャンルごとの判定条件（閾値）を記憶するジャンル別閾値記憶部１１３とを備えている。なお、地上デジタル放送には、番組のジャンル情報が含まれており、本実施の形態ではそれを利用した。制御部１０７は、入力部１０９から得られたモード指定に応じ、選択／合成部１０６を切替える。また、モード指定時にはモード選択情報に応じ、自動制御受信モードで用いる判定条件を調整する。このとき、ジャンル別閾値記憶部１１３に記憶されている中から視聴中の番組ジャンルに応じた判定条件を選択し調整する。また、制御部１０７は、自動制御受信モードの制御判定も行う。判定条件は視聴中の番組ジャンルに応じた判定条件を用いる。また、制御部１０７は、受信品質検出部１０８で得られた受信品質に応じてダイバーシチ受信すべきかシングル受信すべきかを判定し、判定結果に応じて選択／合成部１０６を切替える。【００４０】
次に、図１３を参照して自動制御受信モードで用いる判定条件（閾値）の調整について説明する。自動制御受信モードの判定条件を視聴している番組のジャンル（映画、ニュース等）ごとに設ける。判定条件を変更あるいは判定条件を用いて判定を行う際には、視聴中の番組ジャンルを判別し、番組ジャンルごとの判定条件を読み出す。例えばモード指定によって判定条件（映画）が変動したとしても、視聴する番組が変化するとそのジャンルに応じた判定条件（ニュース）を新たに読み出してくることとなる。但し、判定条件（映画）の変動は判定条件を記憶させておくジャンル別閾値記憶部１１３に反映するため、同じジャンルの番組視聴時には変動後の判定条件（映画）を使用することとなる。【００４１】
次に、本実施の形態に係るダイバーシチ受信装置の動作を説明する。図１４は、本実施の形態に係るダイバーシチ受信装置の動作を説明するためのフロー図である。同図において、いずれかのモードで受信中に、まず入力部１０９よりモード設定があるかどうかチェックする（ステップＳ１４０１）。モード設定があった場合、モード選択率を算出し、更新する（ステップＳ１４０２）。モード選択率は、例えば上述した式（１）で算出する。【００４２】
モード設定があった場合、選択されたモードを判定して（ステップＳ１４０３）、モードごとの処理を行い、モード設定がない場合は今までのモードで受信を続ける。シングル受信モード指定ならば、選択／合成部１０６を選択設定として、シングル受信モード処理を開始する（ステップＳ１４０４）。ダイバーシチ受信モード指定ならば、選択／合成部１０６を合成設定としてダイバーシチ受信モード処理を開始する（ステップＳ１４０５）。自動制御受信モード指定ならば、視聴中の番組のジャンルを判別し（ステップＳ１４０６）、ジャンル別判定条件を呼び出す（ステップＳ１４０７）。以降、実施の形態１における判定条件補正と同じプロセスだが、実施の形態１と異なるところはジャンル別判定条件の補正が行われる点である。すなわち、シングル受信モード選択率とダイバーシチ受信モード選択率を比較し（ステップＳ１４０８）、シングル受信モード選択率が高ければシングル受信が選択されやすい判定条件にシフトする。すなわち、閾値を低くする（ステップＳ１４０９）。ダイバーシチ受信モード選択率が高ければダイバーシチ受信が選択されやすい判定条件にシフトする。すなわち、閾値を高くする（ステップＳ１４１０）。変更された判定条件はジャンル別閾値記憶部１１３に記憶される。【００４３】
そして、現在ダイバーシチ受信中である場合は、シングル受信開始条件と合成後の受信品質を比較し（ステップＳ１４１１）、条件を満たしていればシングル受信に移行する。満たしていなければダイバーシチ受信を継続する。これに対して、現在シングル受信中である場合、ダイバーシチ受信開始条件と使用しているブランチの受信品質を比較し（ステップＳ１４１１）、条件を満たしていればダイバーシチ受信に移行する。満たしていなければシングル受信を継続する。【００４４】
このように本実施の形態のダイバーシチ受信装置によれば、シングル／ダイバーシチ受信モードの選択の仕方で自動制御受信モードの判定条件を決定し、かつ、番組のジャンルごとに異なる判定条件を持つので、番組のジャンルごとに用いるモードが異なるような場合でもユーザの嗜好に合わせた制御を行うことが可能となる（例えば、映画は画質優先だが、ニュースは視聴時間優先など）。【００４５】
なお、上記各実施の形態では、アンテナ１００及び１０１とチューナ１０２及び１０３と復調部１０４及び１０５を２系統搭載した場合について説明したが、２系統以上搭載した場合でも同様の効果を得ることができる。【００４６】
本発明を詳細にまた特定の実施態様を参照して説明したが、本発明の精神と範囲を逸脱することなく様々な変更や修正を加えることができることは当業者にとって明らかである。
【産業上の利用可能性】
【００４７】
本発明は、個人の嗜好や使用環境に応じた切替条件でダイバーシチ受信の起動／停止を制御することができるといった効果を有し、複数の受信ブランチを用いたダイバーシチ受信装置、特に地上デジタル放送を受信可能な携帯電話やカーナビゲーションなどへの適用が可能である。
【図１】
2007110925.tif 000003
【図２】
2007110925.tif 000004
【図３】
2007110925.tif 000005
【図４】
2007110925.tif 000006
【図５】
2007110925.tif 000007
【図６】
2007110925.tif 000008
【図７】
2007110925.tif 000009
【図８】
2007110925.tif 000010
【図９】
2007110925.tif 000011
【図１０】
2007110925.tif 000012
【図１１】
2007110925.tif 000013
【図１２】
2007110925.tif 000014
【図１３】
2007110925.tif 000015
【図１４】
2007110925.tif 000016
【図１５】
2007110925.tif 000017
【図１６】
2007110925.tif 000018
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
複数の受信系を備え、複数の受信系を使用したダイバーシチ受信と単一の受信系を使用したシングル受信とを切替えるダイバーシチ受信装置において、
常時複数の前記受信系を使用したダイバーシチ受信モードと、常時単一の受信系を使用したシングル受信モードと、ダイバーシチ受信とシングル受信を夫々の受信状態に応じて切替える自動制御受信モードのいずれかを選択可能であり、ユーザが使用するモードを指定するための入力部と、
自動制御受信モードにおいて、他の２モードのモード選択情報に応じてダイバーシチ受信とシングル受信とを切替える判定条件を決定し、受信方式を切替える受信方式切替部と、
を備えるダイバーシチ受信装置。
【請求項２】
前記受信方式切替部は、前記モード選択情報として、各モードの選択率を使用する請求項１に記載のダイバーシチ受信装置。
【請求項３】
前記受信方式切替部は、前記モード選択情報として、各モード選択時の受信品質を使用する請求項１に記載のダイバーシチ受信装置。
【請求項４】
装置本体で使用する電池の残量を検出する電源電圧測定部を備え、
前記受信方式切替部は、前記モード選択情報として、各モード選択時の電池残量も使用する請求項３に記載のダイバーシチ受信装置。
【請求項５】
視聴中の番組のジャンルを検出する番組ジャンル検出部と、
ジャンルごとに判定条件を記憶するジャンル別閾値記憶部とを備え、
前記受信方式切替部は、視聴している番組のジャンルごとに判定条件を設定する請求項１乃至請求項４のいずれかに記載のダイバーシチ受信装置。
【請求項６】
複数の受信系を使用したダイバーシチ受信と単一の受信系を使用したシングル受信とを切替える受信方式切替え方法において、
常時複数の前記受信系を使用したダイバーシチ受信モード、常時単一の受信系を使用したシングル受信モード、ダイバーシチ受信とシングル受信を夫々の受信状態に応じて切替える自動制御受信モードのいずれかをユーザによる選択を可能とし、自動制御受信モードが選択された場合に、該自動制御受信モードにおいて、他の２モードのモード選択情報に応じてダイバーシチ受信とシングル受信とを切替える判定条件を決定し、受信方式を切替える受信方式切替え方法。
【手続補正２】
【補正対象書類名】明細書
【補正対象項目名】全文
【補正方法】変更
【補正の内容】
【発明の詳細な説明】
【技術分野】
【０００１】
本発明は、ダイバーシチ受信装置及び受信方式切替え方法に関する。
【背景技術】
【０００２】
従来、複数の受信ブランチを備えて受信品質の向上を図ったダイバーシチ受信装置が提案されている（例えば、特許文献１参照）。従来のダイバーシチ受信装置は、例えば図１５に示すように、２本のアンテナで捉えられた無線信号それぞれについて受信状態（ＣＮＲ（Carrier to Noise Ratio）、ＢＥＲ（Bit Error Rate）、ＰＥＲ（Packet Error Rate）又は電界強度）を測定し、その結果に基づいてダイバーシチ受信とシングル受信の切替えを行う。具体的には、図１６に示すように測定した受信状態を切替えの判定条件（閾値）と比較してダイバーシチ起動／停止を判断する。ダイバーシチ受信は２本のアンテナを使用することから受信感度が得られるメリットがある反面、消費電流が大きくなるデメリットがある。シングル受信は２本のアンテナのうち、受信状態の良い方を使用するので、消費電流が小さいというメリットがある反面、十分な受信感度が得られないというデメリットがある。
【０００３】
【特許文献１】特開平６−２８４０６２号公報
【発明の開示】
【発明が解決しようとする課題】
【０００４】
しかしながら、従来のダイバーシチ受信装置は、ダイバーシチ受信とシングル受信の切替えにはユーザの嗜好や使用環境が反映されないという問題がある。例えば映画を高品質で視聴するためにダイバーシチ受信を希望しても受信状態が良ければシングル受信に切替えられてしまう。また、必ずしも高品質を必要としないニュースではシングル受信でも十分であるにも拘わらず、受信品質が悪ければダイバーシチ受信に切替えられてしまうことになる。ダイバーシチ受信は、全ての受信系を使用することから消費電力が大きくなり、音声のみの放送でダイバーシチ受信が多用されることは、消費電力の点からして好ましいものではない。
【０００５】
本発明は、係る事情に鑑みてなされたものであり、個人の嗜好や使用環境に応じた切替えの判定条件でダイバーシチ受信の起動／停止を制御することができるダイバーシチ受信装置及び受信方式切替え方法を提供することを目的とする。
【課題を解決するための手段】
【０００６】
上記目的は下記構成及び方法により達成される。
本発明のダイバーシチ受信装置は、複数の受信系を備え、複数の受信系を使用したダイバーシチ受信と単一の受信系を使用したシングル受信とを切替えるダイバーシチ受信装置において、常時複数の前記受信系を使用したダイバーシチ受信モードと、常時単一の受信系を使用したシングル受信モードと、ダイバーシチ受信とシングル受信を夫々の受信状態に応じて切替える自動制御受信モードのいずれかを選択可能であり、ユーザが使用するモードを指定するための入力部と、自動制御受信モードにおいて、他の２モードのモード選択情報に応じてダイバーシチ受信とシングル受信とを切替える判定条件を決定し、受信方式を切替える受信方式切替部と、を備える。
【０００７】
前記受信方式切替部は、前記モード選択情報として、各モードの選択率を使用する。
【０００８】
前記受信方式切替部は、前記モード選択情報として、各モード選択時の受信品質を使用する。
【０００９】
装置本体で使用する電池の残量を検出する電源電圧測定部を備え、前記受信方式切替部は、前記モード選択情報として、各モード選択時の電池残量も使用する。
【００１０】
視聴中の番組のジャンルを検出する番組ジャンル検出部と、ジャンルごとに判定条件を記憶するジャンル別閾値記憶部とを備え、前記受信方式切替部は、視聴している番組のジャンルごとに判定条件を設定する。
【００１１】
本発明の受信方式切替え方法は、複数の受信系を使用したダイバーシチ受信と単一の受信系を使用したシングル受信とを切替える受信方式切替え方法において、常時複数の前記受信系を使用したダイバーシチ受信モード、常時単一の受信系を使用したシングル受信モード、ダイバーシチ受信とシングル受信を夫々の受信状態に応じて切替える自動制御受信モードのいずれかをユーザによる選択を可能とし、自動制御受信モードが選択された場合に、該自動制御受信モードにおいて、他の２モードのモード選択情報に応じてダイバーシチ受信とシングル受信とを切替える判定条件を決定し、受信方式を切替える。
【発明の効果】
【００１２】
本発明のダイバーシチ受信装置は、個人の嗜好や使用環境に応じた切替えの判定条件でダイバーシチ受信の起動／停止を制御することができる。これにより、例えば高音質で映画を楽しみたいユーザに対してはダイバーシチ受信が多用され、ニュースを楽しみたいユーザに対してはシングル受信が多用される。また、シングル受信を多用することにより電力消費を低く抑えることが可能となり、バッテリで運用する場合にバッテリ持続時間を長くできる。
【発明を実施するための最良の形態】
【００１３】
以下、本発明を実施するための好適な実施の形態について、図面を参照して詳細に説明する。
【００１４】
図１は、本発明の実施の形態１に係るダイバーシチ受信装置の概略構成を示すブロック図である。図１において、本実施の形態のダイバーシチ受信装置は、例えば地上デジタル放送を受信可能な携帯端末であり、無線信号（デジタル変調信号）を捉えるアンテナ１００及び１０１と、アンテナ１００及び１０１で捉えられた無線信号から所望のチャンネルの選局を行うチューナ１０２及び１０３と、チューナ１０２及び１０３で選局された信号の復調を行う復調部１０４及び１０５と、選択／合成部１０６と、制御部（受信方式切替部）１０７と、受信品質検出部１０８と、入力部１０９と、誤り訂正部１１０とを備えて構成される。本実施の形態では、アンテナ１００及び１０１と、チューナ１０２及び１０３と、復調部１０４及び１０５とからなる２系統の受信系を備えており、各受信系で復調された信号が選択／合成部１０６に入力される。
【００１５】
選択／合成部１０６は、制御部１０７からの指示に応じて各受信系からの信号を合成又は選択する。受信品質検出部１０８は、各受信系で受信した信号と合成信号から受信品質を検出する。受信品質を決めるものとしては、信号の誤り率、信号対雑音比、受信レベル等がある。入力部１０９は、ユーザからモード指定の入力を受けるものであり、モード指定内容を制御部１０７に渡す。入力部１０９は、モード指定するための図示せぬ複数の操作ボタンを備えている。図２は、入力部１０９の操作面を示す図である。モード切替ボタン１０９１は、ダイバーシチ受信モード、シングル受信モード、自動制御受信モードの３つのモードを設定するものであり、１度押すごとにモードが順次遷移する。また、モード切替ボタン１０９１で指定したモードは、モード選択表示ランプ１０９２にて確認することができる。例えば、点灯はダイバーシチ受信モード、消灯はシングル受信モード、点滅は自動制御受信モードである。
【００１６】
図１に戻り、制御部１０７は、入力部１０９から得られたモード指定に応じて選択／合成部１０６を切替える。すなわち、モード指定内容がシングル受信モードであれば、１つの受信系からの信号のみを選択して誤り訂正部１１０に渡し、モード指定内容がダイバーシチ受信モードであれば、各受信系からの信号を合成して誤り訂正部１１０に渡す。また、モード指定時にはモード選択情報（モードの使用頻度を示す情報）に応じ、自動制御受信モードで用いる切替えの判定条件（閾値）を調整する。また、制御部１０７は、自動制御受信モードの制御判定も行う。受信品質検出部１０８で得られた受信品質に応じてダイバーシチ受信をすべきかシングル受信をすべきかを判定し、その結果に応じて選択／合成部１０６を切替える。誤り訂正部１１０は、選択／合成部１０６から得られる信号に対し誤り訂正処理を行う。
【００１７】
次に、図３を参照して自動制御受信モードで用いる判定条件（閾値）の調整について説明する。自動制御受信モードの判定条件は、ダイバーシチ受信モードとシングル受信モードのモード選択情報によって変化する。制御部１０７は、入力部１０９にユーザの入力があった際のモード選択情報を用いて自動制御受信モードの判定条件を決定する。モード選択情報は、モード選択頻度、モード選択時間、モード選択時の受信状態などである。判定条件の決定方法は、例えば、基準となる判定条件を設けて、モード選択頻度とモード選択時間が、ダイバーシチ受信モード＞シングル受信モードであった場合、自動制御受信モードにおいてダイバーシチ受信が選択されやすい判定条件にシフトする。なお、この場合、判定条件にはヒステリシスを持たせても良い。モード選択情報の参照は、過去一定時間内や過去一定数の情報を用いるようにしても良い。
【００１８】
図４は、ユーザ操作による状態遷移例を示す図である。ユーザは視聴中にモードの選択が可能であり、手動操作にてダイバーシチ受信モード／シングル受信モード／自動制御受信モードを指定する。自動制御受信モードが指定されている間にのみユーザの嗜好に応じた制御が行われる。
【００１９】
次に、本実施の形態に係るダイバーシチ受信装置の動作を説明する。図５は、本実施の形態に係るダイバーシチ受信装置の動作を説明するためのフロー図である。
【００２０】
＜常時シングル受信モード処理＞
２系統あるアンテナ１００及び１０１、チューナ１０２及び１０３、復調部１０４及び１０５からなる受信系のうち、一方の受信系からの信号を選択／合成部１０６で選択して誤り訂正部１１０に渡す。
【００２１】
＜常時ダイバーシチ受信モード処理＞
２系統あるアンテナ１００及び１０１とチューナ１０２及び１０３と復調部１０４及び１０５の２つの受信系統の双方からの受信信号を選択／合成部１０６に渡して、２信号を合成する。選択／合成部１０６で合成後の信号を誤り訂正部１１０に渡す。
【００２２】
＜自動制御受信モード処理＞
シングル受信とダイバーシチ受信を受信品質に応じて切替える。シングル受信時は、使用している受信系の受信品質とダイバーシチ受信開始条件を比較し、条件を満たせばダイバーシチ受信に切替える。ダイバーシチ受信時は、合成後の受信品質とシングル受信開始条件を比較し、条件を満たせばシングル受信に切替える。
【００２３】
さて、いずれかのモードで受信中に、まず入力部１０９よりモード設定があるかどうかチェックする（ステップＳ５０）。モード設定があった場合は、モード選択率を算出して更新する（ステップＳ５１）。モード選択率は、例えば以下の式（１）で算出する。
【００２４】
シングル受信モード選択率＝シングル受信モード指定回数／全モード指定回数合計  …（１）
【００２５】
そして、選択されたモードを判定し（ステップＳ５２）、シングル受信モード指定ならば、選択／合成部１０６を選択設定としてシングル受信モード処理を開始する（ステップＳ５３）。ダイバーシチ受信モード指定ならば、選択／合成部１０６を合成設定としてダイバーシチ受信モード処理を開始する（ステップＳ５４）。自動制御受信モード指定ならば、シングル受信モード選択率とダイバーシチ受信モード選択率を比較し（ステップＳ５５）、シングル受信モード選択率が高ければ、シングル受信が選択されやすい判定条件にシフトする（ステップＳ５６）。すなわち、切替えの閾値を低くする。これに対して、ダイバーシチ受信モード選択率が高ければ、ダイバーシチ受信が選択されやすい判定条件にシフトする（ステップＳ５７）。すなわち、切替えの閾値を高くする。そして、現在ダイバーシチ受信中である場合、シングル受信開始条件と合成後の受信品質を比較し（ステップＳ５８）、条件を満たしていればシングル受信に移行する。満たしていなければダイバーシチ受信を継続する。これに対して、現在シングル受信中である場合、ダイバーシチ受信開始条件と使用しているブランチの受信品質を比較し（ステップＳ５８）、条件を満たしていればダイバーシチ受信に移行する。満たしていなければシングル受信を継続する。
【００２６】
このように本実施の形態のダイバーシチ受信装置によれば、ユーザによるシングル／ダイバーシチ受信モードの選択の仕方で自動制御受信モードの判定条件を決定し、シングル受信モードをよく使うユーザはシングル受信優先で制御し、ダイバーシチ受信モードをよく使うユーザはダイバーシチ受信優先で制御するようカスタマイズするので、モード選択をしなくても自動制御受信モードでユーザの嗜好に合わせた制御を行うことが可能となる。
【００２７】
なお、上記実施の形態では、ダイバーシチ受信モード又はシングル受信モードを指定すると、再びユーザによってモード指定が行われない限り、指定したモードが継続して行われるが、ダイバーシチ受信モード又はシングル受信モードを指定した場合、特定時間の指定通りのモードで動作し、その後、自動的に自動制御受信モードに移行するようにしても良い。又は、テレビ機能を立ち上げ直した時やチャンネル変更時には自動制御受信モードへ戻るようにしても良い。
【００２８】
図６は、カウンタを使用して自動的に自動制御受信モードに移行するようにした処理を示すフロー図である。また、図７は、ユーザ操作による状態遷移例を示す図である。図６において、いずれかのモードで受信中に、まずカウンタが一定値以上であるかどうかチェックする（ステップＳ６０）。カウンタが一定値以上であれば、自動制御受信モードに設定し（ステップＳ６１）、その後、次の処理に移行する。カウンタが一定値未満であれば何もせず次の処理に移行する。次の処理では、入力部１０９よりモード設定があるかどうかチェックする（ステップＳ６２）。モード設定があった場合は、モード選択率を算出して更新する（ステップＳ６３）。モード選択率は、例えば上述した式（１）で算出する。
【００２９】
次いで、選択されたモードを判定し（ステップＳ６４）、シングル受信モード指定ならば、カウンタを更新し（ステップＳ６５）、その後、選択／合成部１０６を選択設定としてシングル受信モード処理を開始する（ステップＳ６６）。ダイバーシチ受信モード指定ならば、カウンタを更新し（ステップＳ６７）、その後、選択／合成部１０６を合成設定としてダイバーシチ受信モード処理を開始する（ステップＳ６８）。自動制御受信モード指定ならば、カウンタをリセットし（ステップＳ６９）、その後、シングル受信モード選択率とダイバーシチ受信モード選択率を比較し（ステップＳ７０）、シングル受信モード選択率が高ければ、シングル受信が選択されやすい判定条件にシフトする（ステップＳ７１）。すなわち、切替えの閾値を低くする。これに対して、ダイバーシチ受信モード選択率が高ければ、ダイバーシチ受信が選択されやすい判定条件にシフトする（ステップＳ７２）。すなわち、切替えの閾値を高くする。そして、現在ダイバーシチ受信中である場合、シングル受信開始条件と合成後の受信品質を比較し（ステップＳ７３）、条件を満たしていればシングル受信に移行する。満たしていなければダイバーシチ受信を継続する。これに対して、現在シングル受信中である場合、ダイバーシチ受信開始条件と使用しているブランチの受信品質を比較し（ステップＳ７３）、条件を満たしていればダイバーシチ受信に移行する。満たしていなければシングル受信を継続する。
【００３０】
次に、本発明の実施の形態２について説明する。図８は、本発明の実施の形態２に係るダイバーシチ受信装置の概略構成を示すブロック図である。実施の形態１のダイバーシチ受信装置では、モード選択情報としてモード選択率を用いたが、実施の形態２のダイバーシチ受信装置では、モード選択時の受信品質と電池残量を用いた点が異なっており、実施の形態１と同様の構成に加えて、電池残量を測定する電源電圧測定部１１１を備えている。電源電圧測定部１１１は、電池残量を測定し、その結果を制御部１０７に渡す。制御部１０７は、入力部１０９から得られたモード指定に応じて選択／合成部１０６を切替える。すなわち、シングル受信モードであれば、１つの受信系からの信号のみを選択して誤り訂正部１１０に渡し、ダイバーシチ受信モードであれば、各受信系からの信号を合成して誤り訂正部１１０に渡す。また、モード指定時には、モード選択情報に応じ、自動制御受信モードで用いる判定条件を調整する。また、制御部１０７は、自動制御受信モードの制御判定も行う。また、制御部１０７は、受信品質検出部１０８で得られた受信品質に応じてダイバーシチ受信すべきかシングル受信すべきかを判定し、その結果に応じて選択／合成部１０６を切替える。
【００３１】
次に、図９を参照して自動制御受信モードで用いる判定条件（閾値）の調整について説明する。自動制御受信モードの判定条件を決定する際に用いるモード選択情報として、モード選択時の受信状態と電池残量を用いる。判定条件の決定方法は、基準となる判定条件を設け、ダイバーシチ受信モード選択時の受信状態が自動制御のダイバーシチ受信起動条件より良い場合は、自動制御においてダイバーシチ受信が選択されやすい判定条件にシフトする。また、電池残量に応じてモード選択情報の重み付けを変える。例えば、ダイバーシチ受信モードは消費電流が多いことから、電池残量が多い状態でダイバーシチ受信モードが選択された場合は重み付けを小さくし、電池残量が少ないにも拘わらずダイバーシチ受信モードが選択された場合は重み付けを大きくする。図１０は、自動制御受信モードで用いる判定条件（閾値）の調整を表でまとめたものである。
【００３２】
次に、本実施の形態に係るダイバーシチ受信装置の動作を説明する。図１１は、本実施の形態に係るダイバーシチ受信装置の動作を説明するためのフロー図である。同図において、いずれかのモードで受信中に、まず入力部１０９よりモード設定があるかどうかチェックする（ステップＳ１１０）。モード設定があった場合、選択されたモードを判定して（ステップＳ１１１）、モードごとの処理を行い、モード設定がない場合は今までのモードで受信を続ける。シングル受信モード指定ならば、選択／合成部１０６を選択設定として、選択された信号の受信品質を取得し、自動制御で用いる判定条件と比較する（ステップＳ１１２）。判定条件より悪い場合、判定条件を低くする。この際、判定条件の変化量を決めるために電池電圧測定部１１１により電池残量を確認する（ステップＳ１１３）。電池残量が多い場合、変化量は大きめにし（ステップＳ１１４）、電池残量が少ない場合、変化量は小さめにする（ステップＳ１１５）。ステップＳ１１２の判定において受信品質が判定条件より良い場合は判定条件の変化はなく、そのままシングル受信モード処理を開始する（ステップＳ１１６）。
【００３３】
ステップＳ１１１の判定においてダイバーシチ受信モード指定ならば、選択／合成部１０６を合成設定として、合成された信号の受信品質を取得し、自動制御で用いる判定条件と比較する（ステップＳ１１７）。判定条件より良い場合、判定条件を高くする。この際、判定条件の変化量を決めるために電池電圧測定部１１１により電池残量を確認する（ステップＳ１１８）。電池残量が多い場合、変化量は小さめにし（ステップＳ１１９）、電池残量が少ない場合、変化量は大きめにする（ステップＳ１２０）。ステップＳ１１７の判定において受信品質が判定条件より悪い場合は判定条件の変化はなく、そのダイバーシチ受信モード処理を開始する（ステップＳ１２１）。
【００３４】
一方、ステップＳ１１１の判定において自動制御受信モード指定ならば、現在ダイバーシチ受信中である場合は、シングル受信開始条件と合成後の受信品質を比較し（ステップＳ１２２）、条件を満たしていればシングル受信に移行する（ステップＳ１１６）。満たしていなければダイバーシチ受信を継続する（ステップＳ１２１）。これに対して、現在シングル受信中である場合は、ダイバーシチ受信開始条件と使用している受信系の受信品質を比較し（ステップＳ１２２）、条件を満たしていればダイバーシチ受信に移行する。満たしていなければシングル受信を継続する。
【００３５】
このように本実施の形態のダイバーシチ受信装置によれば、シングル／ダイバーシチ受信モード選択時の受信品質で自動制御受信モードの判定条件を決定し、ユーザがシングル受信モードになって欲しいと考える受信品質ではシングル受信が行われるよう制御し、ダイバーシチ受信モードになって欲しいと考える受信品質ではダイバーシチ受信が行われるよう制御するようにカスタマイズするので、モード選択をしなくても自動制御受信モードでユーザの嗜好に合わせた制御を行うことが可能となる。
【００３６】
また、電池残量を考慮することで、ユーザのシングル／ダイバーシチ受信に対する要求の強さを判別し（電池残量が少ないにも拘わらず消費電流の大きいダイバーシチ受信モードを選択する場合には要求が強い）、ユーザの嗜好に合わせた制御に収束するまでの時間を短縮することが可能となる。
【００３７】
次に、本発明の実施の形態３について説明する。図１２は、本発明の実施の形態３に係るダイバーシチ受信装置の概略構成を示すブロック図である。実施の形態３のダイバーシチ受信装置は、実施の形態１のダイバーシチ受信装置と同一の構成に加えて、視聴中の番組のジャンルを検出する番組ジャンル検出部１１２と、番組のジャンルごとの判定条件（閾値）を記憶するジャンル別閾値記憶部１１３とを備えている。なお、地上デジタル放送には、番組のジャンル情報が含まれており、本実施の形態ではそれを利用した。制御部１０７は、入力部１０９から得られたモード指定に応じ、選択／合成部１０６を切替える。また、モード指定時にはモード選択情報に応じ、自動制御受信モードで用いる判定条件を調整する。このとき、ジャンル別閾値記憶部１１３に記憶されている中から視聴中の番組ジャンルに応じた判定条件を選択し調整する。また、制御部１０７は、自動制御受信モードの制御判定も行う。判定条件は視聴中の番組ジャンルに応じた判定条件を用いる。また、制御部１０７は、受信品質検出部１０８で得られた受信品質に応じてダイバーシチ受信すべきかシングル受信すべきかを判定し、判定結果に応じて選択／合成部１０６を切替える。
【００３８】
次に、図１３を参照して自動制御受信モードで用いる判定条件（閾値）の調整について説明する。自動制御受信モードの判定条件を視聴している番組のジャンル（映画、ニュース等）ごとに設ける。判定条件を変更あるいは判定条件を用いて判定を行う際には、視聴中の番組ジャンルを判別し、番組ジャンルごとの判定条件を読み出す。例えばモード指定によって判定条件（映画）が変動したとしても、視聴する番組が変化するとそのジャンルに応じた判定条件（ニュース）を新たに読み出してくることとなる。但し、判定条件（映画）の変動は判定条件を記憶させておくジャンル別閾値記憶部１１３に反映するため、同じジャンルの番組視聴時には変動後の判定条件（映画）を使用することとなる。
【００３９】
次に、本実施の形態に係るダイバーシチ受信装置の動作を説明する。図１４は、本実施の形態に係るダイバーシチ受信装置の動作を説明するためのフロー図である。同図において、いずれかのモードで受信中に、まず入力部１０９よりモード設定があるかどうかチェックする（ステップＳ１４０１）。モード設定があった場合、モード選択率を算出し、更新する（ステップＳ１４０２）。モード選択率は、例えば上述した式（１）で算出する。
【００４０】
モード設定があった場合、選択されたモードを判定して（ステップＳ１４０３）、モードごとの処理を行い、モード設定がない場合は今までのモードで受信を続ける。シングル受信モード指定ならば、選択／合成部１０６を選択設定として、シングル受信モード処理を開始する（ステップＳ１４０４）。ダイバーシチ受信モード指定ならば、選択／合成部１０６を合成設定としてダイバーシチ受信モード処理を開始する（ステップＳ１４０５）。自動制御受信モード指定ならば、視聴中の番組のジャンルを判別し（ステップＳ１４０６）、ジャンル別判定条件を呼び出す（ステップＳ１４０７）。以降、実施の形態１における判定条件補正と同じプロセスだが、実施の形態１と異なるところはジャンル別判定条件の補正が行われる点である。すなわち、シングル受信モード選択率とダイバーシチ受信モード選択率を比較し（ステップＳ１４０８）、シングル受信モード選択率が高ければシングル受信が選択されやすい判定条件にシフトする。すなわち、閾値を低くする（ステップＳ１４０９）。ダイバーシチ受信モード選択率が高ければダイバーシチ受信が選択されやすい判定条件にシフトする。すなわち、閾値を高くする（ステップＳ１４１０）。変更された判定条件はジャンル別閾値記憶部１１３に記憶される。
【００４１】
そして、現在ダイバーシチ受信中である場合は、シングル受信開始条件と合成後の受信品質を比較し（ステップＳ１４１１）、条件を満たしていればシングル受信に移行する。満たしていなければダイバーシチ受信を継続する。これに対して、現在シングル受信中である場合、ダイバーシチ受信開始条件と使用しているブランチの受信品質を比較し（ステップＳ１４１１）、条件を満たしていればダイバーシチ受信に移行する。満たしていなければシングル受信を継続する。
【００４２】
このように本実施の形態のダイバーシチ受信装置によれば、シングル／ダイバーシチ受信モードの選択の仕方で自動制御受信モードの判定条件を決定し、かつ、番組のジャンルごとに異なる判定条件を持つので、番組のジャンルごとに用いるモードが異なるような場合でもユーザの嗜好に合わせた制御を行うことが可能となる（例えば、映画は画質優先だが、ニュースは視聴時間優先など）。
【００４３】
なお、上記各実施の形態では、アンテナ１００及び１０１とチューナ１０２及び１０３と復調部１０４及び１０５を２系統搭載した場合について説明したが、２系統以上搭載した場合でも同様の効果を得ることができる。
【００４４】
本発明を詳細にまた特定の実施態様を参照して説明したが、本発明の精神と範囲を逸脱することなく様々な変更や修正を加えることができることは当業者にとって明らかである。
【産業上の利用可能性】
【００４５】
本発明は、個人の嗜好や使用環境に応じた切替条件でダイバーシチ受信の起動／停止を制御することができるといった効果を有し、複数の受信ブランチを用いたダイバーシチ受信装置、特に地上デジタル放送を受信可能な携帯電話やカーナビゲーションなどへの適用が可能である。
【図面の簡単な説明】
【００４６】
【図１】本発明の実施の形態１に係るダイバーシチ受信装置の概略構成を示すブロック図
【図２】本発明の実施の形態１に係るダイバーシチ受信装置の操作面を示す図
【図３】本発明の実施の形態１に係るダイバーシチ受信装置における判定条件を説明するための図
【図４】本発明の実施の形態１に係るダイバーシチ受信装置における状態遷移例を示す図
【図５】本発明の実施の形態１に係るダイバーシチ受信装置の動作を説明するためのフロー図
【図６】本発明の実施の形態１に係るダイバーシチ受信装置の応用例の動作を説明するためのフロー図
【図７】本発明の実施の形態１に係るダイバーシチ受信装置の応用例における状態遷移例を示す図
【図８】本発明の実施の形態２に係るダイバーシチ受信装置の概略構成を示すブロック図
【図９】本発明の実施の形態２に係るダイバーシチ受信装置における判定条件を説明するための図
【図１０】本発明の実施の形態２に係るダイバーシチ受信装置における判定条件を説明するための図
【図１１】本発明の実施の形態２に係るダイバーシチ受信装置の動作を説明するためのフロー図
【図１２】本発明の実施の形態３に係るダイバーシチ受信装置の概略構成を示すブロック図
【図１３】本発明の実施の形態３に係るダイバーシチ受信装置における判定条件を説明するための図
【図１４】本発明の実施の形態３に係るダイバーシチ受信装置の応用例の動作を説明するためのフロー図
【図１５】従来のダイバーシチ受信装置におけるダイバーシチ受信／シングル受信の切替え方法を説明するための図
【図１６】従来のダイバーシチ受信装置におけるダイバーシチ受信／シングル受信の切替え方法を説明するための図
【符号の説明】
【００４７】
１００、１０１  アンテナ
１０２、１０３  チューナ
１０４、１０５  復調部
１０６  選択／合成部
１０７  制御部
１０８  受信品質検出部
１０９  入力部
１１０  誤り訂正部
１１１  電源電圧測定部
１１２  番組ジャンル検出部
１１３  ジャンル別閾値記憶部
【手続補正３】
【補正対象書類名】図面
【補正対象項目名】全図
【補正方法】変更
【補正の内容】
【図１】
2007110925.tif 000019
【図２】
2007110925.tif 000020
【図３】
2007110925.tif 000021
【図４】
2007110925.tif 000022
【図５】
2007110925.tif 000023
【図６】
2007110925.tif 000024
【図７】
2007110925.tif 000025
【図８】
2007110925.tif 000026
【図９】
2007110925.tif 000027
【図１０】
2007110925.tif 000028
【図１１】
2007110925.tif 000029
【図１２】
2007110925.tif 000030
【図１３】
2007110925.tif 000031
【図１４】
2007110925.tif 000032
【図１５】
2007110925.tif 000033
【図１６】
2007110925.tif 000034
【国際調査報告】
2007110925.tif 000035
2007110925.tif 000036
2007110925.tif 000037
2007110925.tif 000038